(57)【要約】【課題】帯電装置に用いられる帯電ワイヤーの寿命の向上を図る。【解決手段】感光体ドラムを放電により帯電する帯電ワイヤー２１と、帯電ワイヤー２１を清掃する清掃部材２３と、清掃部材２３を保持する保持部３４を、帯電ワイヤー２１に沿って往復移動させる往復移動機構３０と、を備え、往復移動機構３０は、帯電ワイヤー２１の延在方向に沿って配置されたスクリュー軸３１と、清掃部材２３を保持し、スクリュー軸３１に沿って移動する移動体３０Ｂと、を備え、スクリュー軸３１は筒体であって、その周面には前記延在方向に沿って配された複数の空気の流入孔が設けられ、流入孔からスクリュー軸３１の内部に空気を流入して当該空気をスクリュー軸３１の一端３１１から吸引する吸引機構４０が備えられる。【選択図】図３
2020064220.tif 000002
【特許請求の範囲】
【請求項１】
被帯電体を放電により帯電する帯電ワイヤーと、
前記帯電ワイヤーを清掃する清掃部材と、
前記清掃部材を前記帯電ワイヤーの延在方向に沿って往復移動させる往復移動機構と、
を備え、
前記往復移動機構は、
前記帯電ワイヤーの延在方向に沿って配置された軸部と、
前記清掃部材を保持し、前記軸部に沿って移動する移動体と、
を備え、
前記軸部は筒体であって、その周面には前記延在方向に沿って配された複数の空気の流入孔が設けられ、
前記流入孔から前記軸部の内部に空気を流入して当該空気を前記軸部の一端から排出させる吸引機構が備えられることを特徴とする帯電装置。
【請求項２】
前記流入孔の大きさは、前記軸部の前記一端から他端に向かうにつれて大きくなることを特徴とする請求項１に記載の帯電装置。
【請求項３】
隣接する前記流入孔の間隔は、前記軸部の前記一端から他端に向かうにつれて狭くなることを特徴とする請求項１又は２に記載の帯電装置。
【請求項４】
前記軸部の外周面には、前記軸部の前記一端から他端にかけて螺旋状に配置された螺旋部が備えられ、
前記移動体は、前記螺旋部に係合し、前記軸部の回転に伴って軸方向に移動することを特徴とする請求項１から３のいずれか一項に記載の帯電装置。
【請求項５】
前記螺旋部は前記軸部に固定されており、
隣接する前記流入孔の間隔は、前記螺旋部のピッチ間隔と同一又は整数倍であることを特徴とする請求項４に記載の帯電装置。
【請求項６】
前記往復移動機構は、並列に配置された複数の前記軸部を備え、一の前記移動体は、複数の前記軸部に沿って移動することを特徴とする請求項１から５のいずれか一項に記載の帯電装置。
【請求項７】
像担持体と、
前記像担持体の表面を帯電させる、請求項１から６のいずれか一項に記載の帯電装置と、
を備えることを特徴とする画像形成装置。
【発明の詳細な説明】
【技術分野】
【０００１】
本発明は、帯電装置及び画像形成装置に関する。
【背景技術】
【０００２】
電子写真方式の画像形成装置には、感光体の表面を帯電させるための帯電装置が設けられている。帯電装置としては、様々なタイプのものがあるが、帯電ワイヤーに所定の高電圧を印加してコロナ放電を行うことで感光体の外周面上を帯電させるものが広く用いられている。
【０００３】
ところで、この帯電ワイヤーによるコロナ放電により、オゾンや窒素酸化物等の放電生成物が発生する。また、帯電装置の周辺には、トナーが飛散したり、紙粉や塵埃が浮遊したりしているため、帯電ワイヤーには、放電生成物や飛散したトナー等による異物が付着しやすい。
帯電ワイヤーに汚れが付着すると、帯電ワイヤーの放電効率の低下や放電ムラ等が生じ、感光体の表面における帯電が不均一になり、用紙に形成される画像にムラ等が生じてしまう。
【０００４】
これに対して、帯電ワイヤーを挟み込むように清掃部材を配置し、この清掃部材を移動させることで帯電ワイヤーを摺擦し、帯電ワイヤーに付着していた異物を払拭する構成が知られている。しかしながら、長期間にわたって帯電ワイヤーを摺擦すると、帯電ワイヤーと清掃部材との間の摩擦抵抗により帯電ワイヤー表面を傷付けてしまい、帯電ワイヤーの寿命を早めてしまうおそれがある。
そこで、帯電装置全体を吸引し、発生した異物を排出する技術が提案されている（特許文献１参照）。
【先行技術文献】
【特許文献】
【０００５】
【特許文献１】特開２０１４−７７９７５号公報
【発明の概要】
【発明が解決しようとする課題】
【０００６】
しかしながら、上記特許文献１の技術は、帯電装置の構成上、エアーの吸引が阻害されやすく、使用に伴って十分に吸引ができなくなり、帯電ワイヤーの劣化が発生するものであった。
【０００７】
本発明の課題は、帯電装置に用いられる帯電ワイヤーの寿命の向上を図ることである。
【課題を解決するための手段】
【０００８】
上記課題を解決するため、本発明は、帯電装置において、
被帯電体を放電により帯電する帯電ワイヤーと、
前記帯電ワイヤーを清掃する清掃部材と、
前記清掃部材を前記帯電ワイヤーの延在方向に沿って往復移動させる往復移動機構と、
を備え、
前記往復移動機構は、
前記帯電ワイヤーの延在方向に沿って配置された軸部と、
前記清掃部材を保持し、前記軸部に沿って移動する移動体と、
を備え、
前記軸部は筒体であって、その周面には前記延在方向に沿って配された複数の空気の流入孔が設けられ、
前記流入孔から前記軸部の内部に空気を流入して当該空気を前記軸部の一端から排出させる吸引機構が備えられることを特徴とする。
【０００９】
また、本発明は、画像形成装置において、
像担持体と、
前記像担持体表面を帯電させる上記帯電装置と、
を備えることを特徴とする。
【発明の効果】
【００１０】
本発明によれば、帯電装置に用いられる帯電ワイヤーの寿命の向上を図ることができる。
【図面の簡単な説明】
【００１１】
【図１】画像形成装置の概略構成を示す図である。
【図２】画像形成部における書込みユニットの周辺を示す図である。
【図３】帯電装置を示す斜視図である。
【図４】帯電装置の清掃部材を、図３における矢印ＩＶの方向からみた図である。
【図５】スクリュー軸の構成を説明するための図である。
【図６】スクリュー軸の変形例を示す図である。
【図７】スクリュー軸の変形例を示す図である。
【図８】往復移動機機構の変形例を示す図である。
【発明を実施するための形態】
【００１２】
以下、本発明の実施の形態について、図面を参照して説明する。ただし、発明の範囲は図示したものに限定されない。
【００１３】
［画像形成装置の構成］
図１は、本実施の形態にかかる画像形成装置１０の概略構成を示す図である。この画像形成装置１０は、例えば複写機といった電子写真方式の画像形成装置であり、複数の感光体を一本の中間転写ベルトに対面させて縦方向に配列することによりフルカラーの画像を形成する、いわゆる、タンデム型カラー画像形成装置である。
【００１４】
図１に示すように、画像形成装置１０は、例えば、制御部１１、給紙部１２、搬送部１３及び画像形成部１４を備えて構成される。
【００１５】
制御部１１は、ＣＰＵ（Central Processing Unit）、ＲＯＭ（Read Only Memory）、ＲＡＭ（Random Access Memory）等を備えて構成されている。
制御部１１のＣＰＵは、ＲＯＭから処理内容に応じたプログラムを読み出してＲＡＭに展開し、展開したプログラムと協働して画像形成装置１０の各ブロックの動作を集中制御する。このとき、記憶部（不図示）に格納されている各種データが参照される。記憶部は、例えば不揮発性の半導体メモリー（いわゆるフラッシュメモリー）や、ハードディスクドライブで構成される。
例えば、制御部１１は、原稿読取装置や通信部（いずれも不図示）により入力される画像データに基づいて用紙に画像を形成させる制御を行う。
【００１６】
給紙部１２は、画像形成装置１０の筐体の下部に設置された複数の給紙トレイを備え、画像形成処理が開始されると、いずれかの給紙トレイから、その内部に収納している用紙を搬送部１３に送り出す。
【００１７】
搬送部１３は、用紙搬送経路に沿って設けられた複数のローラーや、各ローラーを駆動する駆動部等を有し、給紙部１２から１枚ずつ送り出されてくる用紙を画像形成部１４に搬送し、画像形成部１４により画像が形成された用紙を、装置外部に設けられた排紙トレイに排紙するように搬送する。
【００１８】
画像形成部１４は、Ｙ（イエロー）、Ｍ（マジェンタ）、Ｃ（シアン）、Ｋ（黒）の各色に対応する４つの書込みユニット１５Ｙ，１５Ｍ，１５Ｃ，１５Ｋと、中間転写ベルト１６と、二次転写ローラー１７と、定着部１８と、を備える。
【００１９】
各書込みユニット１５Ｙ，１５Ｍ，１５Ｃ，１５Ｋの構成は同じであるため、以下の説明では、纏めて、書込みユニット１５として説明することとする。
図２は、一の書込みユニット１５の周辺を示す図である。
図２に示すように、書込みユニット１５は、感光体ドラム１５１、帯電装置２０、露光装置１５２、現像装置１５３、一次転写ローラー１５４及びクリーニン装置１５５等を備える。
【００２０】
感光体ドラム１５１は、アルミ材よりなる円筒状の金属基体の外周面上に、保護層としてのオーバーコート層を設けた有機感光体層（ＯＰＣ）が形成され、これを感光面とする像担持体である。感光体ドラム１５１は、接地された状態で中間転写ベルト１６に従動して図１及び図２における反時計方向に回転される。
【００２１】
帯電装置２０は、その長手方向を感光体ドラム１５１の回転軸方向に沿わせた状態で対応する感光体ドラム１５１に近接配設されおり、トナーと同極性のコロナ放電によって、被帯電体である感光体ドラム１５１の表面に一様な電位を与える。この帯電装置２０の詳細については後述する。
【００２２】
露光装置１５２は、レーザー光源、ポリゴンミラー、レンズ等から構成され、各色の画像データに基づいて感光体ドラム１５１の表面をレーザービームにより走査露光して静電潜像を形成する。
【００２３】
現像装置１５３は、対応する色成分の小粒径のトナーと磁性体とからなる二成分現像剤を収容しており、トナーを感光体ドラム１５１の表面に搬送して、当該感光体ドラム１５１に担持された静電潜像をトナーにより顕像化する。
【００２４】
一次転写ローラー１５４は、中間転写ベルト１６を裏面（トナー像の形成面と反対側の面）から感光体ドラム１５１向けて付勢している。感光体ドラム１５１上に形成されたトナー像は、定電圧あるいは定電流が印加された一次転写ローラー１５４の静電作用により、中間転写ベルト１６上に転写される（一次転写）。
【００２５】
クリーニン装置１５５は、転写後の感光体ドラム１５１の周面上に残ったトナーを除去する。
【００２６】
図１に戻って、中間転写ベルト１６は、無端状ベルトであり、複数のローラーにより張架され、図１及び図２における時計方向に周回駆動される。
中間転写ベルト１６上には、上述のようにして、書込みユニット１５Ｙ，１５Ｍ，１５Ｃ，１５Ｋにより各色のトナー像が重ね合わされるように形成され、カラートナー像が形成されることとなる。
【００２７】
二次転写ローラー１７は、中間転写ベルト１６上に形成されたカラートナー像を、給紙部１２から供給された用紙の一方の面上に一括して転写させる（二次転写）。
【００２８】
定着部１８は、用紙上に転写されたトナーを、加熱・加圧により用紙上に定着させる。
【００２９】
［帯電装置］
次に、帯電装置２０について詳細に説明する。
図３は、帯電装置２０を示す斜視図である。図４は、帯電装置２０の清掃部材２３を、図３における矢印ＩＶの方向からみた図である。
なお、以下においては、図３に示すように、帯電装置２０の感光体ドラム１５１に対向する面が「上側」で、その反対面が「下側」となるように定めて説明する。また、帯電装置２０の長手方向を前後方向として「前側」及び「後側」を定め、帯電装置２０の長手方向と直交する幅方向を左右方向として「左側」及び「右側」を定めて説明する。
【００３０】
帯電装置２０は、例えば、コロトロン式であって、感光体ドラム１５１の外周の感光面にコロナ放電を行う帯電ワイヤー２１と、この帯電ワイヤー２１を内部で張架支持する筐体であるシールドケース２２と、帯電ワイヤー２１を清掃する清掃部材２３と、清掃部材２３を帯電ワイヤー２１に沿って往復移動させる往復移動機構３０と、を備えている。
【００３１】
帯電ワイヤー２１は、感光体ドラム１５１の回転軸に沿う方向に延在するように配置され、その両端部が、シールドケース２２の長手方向の両端部に取り付けられている。
帯電ワイヤー２１は、例えばタングステンからなり、表面に金メッキが施されている。また、帯電ワイヤー２１には高電圧回路が接続されており、高電圧を印加することにより、感光体ドラム１５１の感光面にコロナ放電を行うことができる。従って、コロナ放電中に感光体ドラム１５１を一定速度で回転駆動することにより、その感光面を正又は負極性に均一に帯電することが可能となっている。
なお、高電圧回路による感光体ドラム１５１の感光面に対する帯電の実行と停止は制御部１１によって制御される。
【００３２】
シールドケース２２は、ステンレス等の導電性材料からなり、その長手方向を感光体ドラム１５１の回転軸と平行に向けた状態で配置されている。なお、シールドケース２２は、画像形成装置１０に対して着脱可能に取り付けられており、帯電装置２０全体を交換することが可能である。
【００３３】
シールドケース２２は、その長手方向に対して上下方向に切断した断面形状が略「コ」字形状となる箱体であって、感光体ドラム１５１の感光面に対向する対向面には、そのほぼ全体を開放状態とした開口部２２１が形成されている。また、対向面の逆側に位置する背面には、シールドケース２２の長手方向に沿って延在した第２開口部２２２が形成されている。
シールドケース２２の内部おいて長手方向の両端部には、帯電ワイヤー２１を支持するための支持部２２ａが設けられ、帯電ワイヤー２１の両端部が支持部２２ａに取り付けられることで、帯電ワイヤー２１は、シールドケース２２の開口部２２１の近傍において、張架支持された状態となる。
また、シールドケース２２の外部において長手方向の両端部には、後述するスクリュー軸３１（軸部）を支持するための軸受２２ｂが設けられている。
【００３４】
清掃部材２３は、例えば、不織布によって形成されており、図３及び図４に示すように、２股に分かれた保持部３４の取付部３４ａ，３４ａに取り付けられ、帯電ワイヤー２１を挟持するように配置される。
清掃部材２３は、往復移動機構３０の移動体３０Ｂが移動することに伴って、帯電ワイヤー２１に沿って前後方向に移動し、これにより、帯電ワイヤー２１を摺擦することができる。
【００３５】
往復移動機構３０は、例えば、シールドケース２２の外部に回転可能に配されたスクリュー体３０Ａと、清掃部材２３を保持し、スクリュー体３０Ａの回転により移動する移動体３０Ｂと、スクリュー体３０Ａを回転駆動させる駆動部３０Ｃと、を備える。
【００３６】
スクリュー体３０Ａとは、例えば、帯電ワイヤー２１の延在方向に沿って配置されたスクリュー軸３１と、スクリュー軸３１の外周面に螺旋状に配置された螺旋部３２と、を備えている。
【００３７】
スクリュー軸３１の軸方向の両端部は、シールドケース２２の長手方向の両端部にそれぞれ設けられた軸受２２ｂによって回動自在（正逆回転自在）に支持されている。さらに、スクリュー軸３１の一端部は、モーター等を有する駆動部３０Ｃに接続されており、モーターの正逆回転に対応して正逆回転するようになっている。なお、モーターの正逆回転の実行は制御部１１によって制御される。
【００３８】
螺旋部３２は、スクリュー軸３１の一端３１１から他端にかけて、一定のピッチでスクリュー軸３１の外周面に巻き回されることにより、螺旋状に配置される。
【００３９】
移動体３０Ｂは、その内周面に螺旋部３２に係合可能なねじ部（不図示）が形成された円筒状の係合部３３を備える。この係合部３３にスクリュー軸３１及び螺旋部３２が挿通され、ねじ部と螺旋部３２が係合された状態となっている。この状態において、スクリュー軸３１を回転させることにより、係合部３３はスクリュー軸３１の回転に伴って前後方向（軸方向）に往復移動することとなる。
また、移動体３０Ｂは、清掃部材２３を保持する保持部３４を備える。この保持部３４は、適宜な間隙を介して二股に分かれた取付部３４ａ，３４ａを有し、取付部３４ａ，３４ａの相互に対向する面に、それぞれ清掃部材２３が取り付けられる。保持部３４は、シールドケース２２に形成された第２開口部２２２の左右両縁部に支持されるようにその上方から載置され、また、保持部３４の下面が係合部３３に連結されている。このため、係合部３３の移動に伴って、保持部３４は第２開口部２２２内を前後方向に移動可能となっている。
このようにして、移動体３０Ｂが前後方向に往復移動することで、清掃部材２３が帯電ワイヤー２１に沿って移動することとなる。
【００４０】
［スクリュー軸］
次に、本実施の形態のスクリュー軸３１について詳細に説明する。
図５は、スクリュー軸３１の構成を説明するための図である。
図５に示すように、スクリュー軸３１は、長手方向の両端部が開口となった、中空な筒体である。また、スクリュー軸３１の周面には、長手方向（帯電ワイヤー２１の延在方向）に沿って配された複数の空気の流入孔３１ａが設けられている。
図５の例では、複数の流入孔３１ａは、全て同一サイズの正円であり、スクリュー軸３１の長手方向に沿って所定間隔毎に設けられている。
なお、流入孔３１ａの形状は、正円の他にも、楕円、多角形、長方形等、適宜採用可能である。
【００４１】
ここで、スクリュー軸３１の一端３１１側には、スクリュー軸３１の内部の空気を吸引する吸引機構４０が設けられている。
吸引機構４０は、例えば、スクリュー軸３１の一端３１１（ここでは前端）に近接対向する吸引口４１を有するダクト（図３参照）と、スクリュー軸３１の内部の空気を吸引するためのファン（図示省略）とを備えて構成され、流入孔３１ａからスクリュー軸３１の内部に空気を流入させて当該空気をスクリュー軸３１の一端３１１から排出させることができる。
従って、この吸引機構４０により吸引動作を行った場合、帯電装置２０の周辺の放電生成物や飛散したトナー等の異物が流入孔３１ａに吸い込まれ、スクリュー軸３１の一端３１１から、吸引口４１を介して外部に排気を行うことが可能となっている。
なお、吸引機構４０におけるファンの駆動と停止は、制御部１１によって制御される。
【００４２】
［帯電装置の動作］
次に、本実施の形態における帯電装置２０の動作について説明する。
上述のように、帯電装置２０は、画像形成処理において、帯電ワイヤー２１に高電圧を印加することにより、感光体ドラム１５１の感光面にコロナ放電を行い、当該感光体ドラム１５１の表面に一様な電位を与える。
そして、帯電装置２０の稼働時間或いは画像形成枚数などにより設定された、帯電ワイヤー２１の清掃タイミングに達すると、制御部１１の制御のもと、駆動部３０Ｃはスクリュー体３０Ａを回転駆動させる。
これにより、スクリュー軸３１が回転して移動体３０Ｂが前後方向に往復移動するので、移動体３０Ｂの保持部３４に保持された清掃部材２３が帯電ワイヤー２１に沿って前後方向に移動し、帯電ワイヤー２１を摺擦して、帯電ワイヤー２１に付着した異物を取り除くことができる。
【００４３】
また、この帯電装置２０においては、制御部１１の制御のもと、吸引機構４０は吸引を行い、帯電装置２０の周辺の放電生成物や飛散したトナー等の異物が流入孔３１ａに吸い込まれ、スクリュー軸３１の一端３１１から、吸引口４１を介して外部に排気を行うことができる。
なお、この吸引動作は、帯電ワイヤー２１によるコロナ放電時には常時行っても良いし、上記したスクリュー体３０Ａの回転タイミングで行っても良い。
これにより、
【００４４】
［本実施の形態の効果］
以上のように、本実施の形態によれば、感光体ドラム１５１を放電により帯電する帯電ワイヤー２１と、帯電ワイヤー２１を清掃する清掃部材２３と、清掃部材２３を保持する保持部３４を、帯電ワイヤー２１に沿って往復移動させる往復移動機構３０と、を備え、往復移動機構３０は、帯電ワイヤー２１の延在方向に沿って配置されたスクリュー軸３１と、清掃部材２３を保持し、スクリュー軸３１に沿って移動する移動体３０Ｂと、を備える。そして、スクリュー軸３１は筒体であって、その周面には前記延在方向に沿って配された複数の空気の流入孔３１ａが設けられ、流入孔３１ａからスクリュー軸３１の内部に空気を流入して当該空気をスクリュー軸３１の一端３１１から吸引する吸引機構４０が備えられる。
このため、周辺の放電生成物を吸引しつつ、清掃部材２３で帯電ワイヤー２１を清掃することができる。
よって、帯電ワイヤー２１への異物の付着を防ぎつつ、付着してしまった異物は清掃部材２３で清掃できるので、帯電ワイヤー２１の寿命の向上を図ることができる。
【００４５】
また、本実施の形態によれば、スクリュー軸３１の外周面には、スクリュー軸３１の一端３１１から他端３１２にかけて螺旋状に配置された螺旋部３２が備えられ、移動体３０Ｂは、螺旋部３２に係合し、スクリュー軸３１の回転に伴って軸方向に移動する。
このため、スクリュー軸３１の回転により、移動体３０Ｂひいては清掃部材２３を帯電ワイヤー２１に沿って往復移動させる構成とすることができる。
【００４６】
［変形例］
なお、上記実施の形態では、複数の流入孔３１ａは全て同一サイズであるとしたが、図６（ａ）に示すように、流入孔３１ａの大きさを、スクリュー軸３１における吸引口４１側の一端３１１から他端３１２に向かうにつれて大きくなるようにすることも好ましい。
このようにすることで、吸引口４１から離れるにつれて、すなわち、吸引力が小さくなるにつれて、流入孔３１ａの大きさが大きくなるため、吸引効果をより高めることができる。
【００４７】
また、上記実施の形態では、複数の流入孔３１ａはスクリュー軸３１の長手方向に沿って所定間隔毎に設けられていることとしたが、図６（ｂ）に示すように、隣接する流入孔３１ａの間隔を、スクリュー軸３１における吸引口４１側の一端３１１から他端３１２に向かうにつれて狭くなるようにすることも好ましい。
このようにすることで、吸引口４１から離れるにつれて、すなわち、吸引力が小さくなるにつれて、流入孔３１ａの設置間隔が狭くなるため、吸引効果をより高めることができる。
【００４８】
なお、図示は省略するが、流入孔３１ａの大きさを、スクリュー軸３１における吸引口４１側の一端３１１から他端３１２に向かうにつれて大きくなるようにするとともに、隣接する流入孔３１ａの間隔を、スクリュー軸３１における吸引口４１側の一端３１１から他端３１２に向かうにつれて狭くなるようにすることもできる。
【００４９】
また、図７（ａ）に示すように、スクリュー軸３１に螺旋部３２を固定して設けた場合、隣接する流入孔３１ａの間隔Ｌ１を、螺旋部３２のピッチ間隔Ｐ１と同一とすることも好ましい。すなわち、Ｐ１＝Ｌ１＝ｍとすることが好ましい。この際、流入孔３１ａは螺旋部３２と重ならない位置に設けられる。
このようにすることで、螺旋部３２により吸引が阻害されることがなく、吸引効果をより高めることができる。
なお、同様の効果を得るためには、図７（ｂ）に示すように、スクリュー軸３１に螺旋部３２を固定して設け、隣接する流入孔３１ａの間隔Ｌ１を、螺旋部３２のピッチ間隔Ｐ１の整数倍とすることもできる。すなわち、Ｐ１＝ｍのとき、Ｌ１＝ｎ×ｍ（ｎは２以上の整数）とする。なお、この際にも、流入孔３１ａと螺旋部３２とが重ならない位置に設けられる。
【００５０】
また、図８に示すように、往復移動機構３０は、並列に配置された複数のスクリュー体３０Ａを備え、一の移動体３０Ｂが、複数のスクリュー体３０Ａに沿って移動する構成とすることも好ましい。
このようにすることで、吸引効果をより高め、かつ清掃部材２３の走行を安定させることができる。
【００５１】
また、上記実施の形態においては、帯電装置２０をコロトロン式としたが、帯電装置２０の構成としては、感光体ドラム１５１と帯電ワイヤー２１との間にグリッド電極を持つスコロトロン式であっても良い。
【００５２】
また、上記実施の形態においては、螺旋部３２と係合部３３が係合し、移動体３０Ｂがスクリュー軸３１の回転に伴って軸方向に移動する構成を例示して説明したが、移動体３０Ｂをスクリュー軸３１に沿って軸方向に移動させることの可能な構成であれば、螺旋部３２及び係合部３３を備えない構成であっても適宜採用可能である。例えば、スクリュー軸３１は回転せず、このスクリュー軸３１に沿って、保持部３４を有する移動体３０Ｂを直線的に移動させる駆動部等を備えた構成等であっても良い。
【００５３】
また、上記実施の形態においては、感光体ドラムに形成された画像を中間転写ローラーに一次転写し、中間転写ローラーから二次転写ローラーにより用紙に画像を転写するカラーの画像形成装置を例にとり説明したが、本発明は、感光体ドラムから転写ローラーにより直接用紙に画像を転写するモノクロの画像形成装置等においても適用可能である。
【００５４】
その他、画像形成装置の細部構成及び細部動作に関しても、本発明の趣旨を逸脱することのない範囲で適宜変更可能である。
【符号の説明】
【００５５】
１０  画像形成装置
１１  制御部
１２  給紙部
１３  搬送部
１４  画像形成部
１５、１５Ｙ、１５Ｍ、１５Ｃ、１５Ｋ  画像形成ユニット
１５１  感光体ドラム（被帯電体）
１５２  露光装置
１５３  現像装置
１５４  一次転写ローラー
１５５  クリーニン装置
１６  中間転写ベルト
１７  二次転写ローラー
１８  定着部
２０  帯電装置
２１  帯電ワイヤー
２２  シールドケース
２２１  開口部
２２２  第２開口部
２２ａ  支持部
２２ｂ  軸受
２３  清掃部材
３０  往復移動機構
３０Ａ  スクリュー体
３１  スクリュー軸（軸部）
３１ａ  流入孔
３２  螺旋部
３０Ｂ  移動体
３３  係合部
３４  保持部
３４ａ，３４ａ  取付部
３０Ｃ  駆動部
４０  吸引機構
４１  吸引口
【図１】
2020064220.tif 000003
【図２】
2020064220.tif 000004
【図３】
2020064220.tif 000005
【図４】
2020064220.tif 000006
【図５】
2020064220.tif 000007
【図６】
2020064220.tif 000008
【図７】
2020064220.tif 000009
【図８】
2020064220.tif 000010